(57)【要約】      （修正有）【課題】組み立て時の調整を不要にすると共に、不正メダルの判定を長期にわたって正しく行なわせる計数ホッパを提供する。【解決手段】フレーム４６の移動用面５４０２上でメダルＭを回転させつつメダル放出部５０に移動させるメダル移動部４８と、メダル放出部５０から放出されるメダルＭの直径を検出する検出部とを備える。メダル放出部５０は、メダルＭを放出する方向に延在する放出ガイド面６８を有する放出ガイド６６と、放出ガイド面６８に対向して配置され放出ガイド面６８に離間接近することでメダルＭの直径を検出する放出ローラ７０とを含んで構成される。放出ガイド６６は、放出ガイド６６に設けられた係止孔８８Ａに、フレーム４６に設けられた係止ピン９０が係合されて位置決めされる。係止孔８８Ａの内周面の少なくとも１箇所は孔側平面で形成され、係止ピン９０の外周面の少なくとも１箇所は孔側平面に係合可能なピン側平面で形成されている。【選択図】図１１
2018018243.tif 000002
【特許請求の範囲】
【請求項１】
フレームの移動用面上でメダルをメダル放出部に移動させるメダル移動部と、前記メダル放出部から放出されるメダルの直径を検出する検出部とを備え、
前記メダル放出部は、前記メダルを放出する方向に延在する放出ガイド面を有する放出ガイドと、前記放出ガイド面に対向して配置され前記放出ガイド面に離間接近することでメダルの直径を検出する放出ローラとを含んで構成され、
前記放出ガイドは、前記放出ガイドに設けられた係止孔または係止ピンに、前記フレームに設けられた係止ピンまたは係止孔が係合されて位置決めされる、
計数ホッパであって、
前記係止孔の内周面の少なくとも１箇所は孔側平面で形成され、
前記係止ピンの外周面の少なくとも１箇所は前記孔側平面に係合可能なピン側平面で形成されている、
ことを特徴とする計数ホッパ。
【請求項２】
前記係止孔および前記係止ピンの断面形状は多角形を呈している、
ことを特徴とする請求項１記載の計数ホッパ。
【請求項３】
前記多角形は四角形である、
ことを特徴とする請求項２記載の計数ホッパ。
【請求項４】
前記放出ローラは、前記放出ローラの外周面と前記放出ガイド面との距離が前記メダルの直径よりも小さい初期位置に位置するように常時付勢されると共に前記放出ガイド面から離れる方向に変位可能に配置されている、
ことを特徴とする請求項１〜３の何れか1項記載の計数ホッパ。
【請求項５】
前記メダル移動部は、前記移動用面上で回転駆動され前記メダルを落下させるメダル落下用孔が貫設された回転板と、前記移動用面に対向する前記回転板の裏面に設けられ前記移動用面に落下されたメダルを前記回転板の回転に伴って前記回転板の半径方向外方に移動させるメダル移動用ガイドと、前記メダル移動用ガイドと協働してメダルを前記メダル放出部に導くメダルガイド面とを含んで構成され、
前記メダルガイド面は前記放出ガイドに形成されている、
ことを特徴とする請求項１〜４の何れか１項記載の計数ホッパ。
【請求項６】
前記メダル移動部は、前記初期位置に位置する放出ローラの外周面と、この外周面に対向する前記放出ガイド面とを結んだ想像線よりも前記メダルの直径部分を前記回転板から離れる方向に移動させる、
ことを特徴とする請求項５記載の計数ホッパ。
【請求項７】
前記計数ホッパは、外径の異なる第１、第２の２種類のメダルの計数を可能に設けられ、
前記放出ガイド面は、前記第１のメダルに対応した第１の放出ガイド面と、前記第２のメダルに対応した第２の放出ガイド面とを含んで構成され、
前記メダルガイド面は、前記第１のメダルに対応した第１のメダルガイド面と、前記第２のメダルに対応した第２のメダルガイド面とを含んで構成され、
前記フレームに設けられた係止ピンまたは係止孔は単一で、前記放出ガイドに設けられた係止孔または係止ピンは、前記第１、第２のメダルに対応して２つ設けられている、
ことを特徴とする請求項１〜６の何れか１項記載の計数ホッパ。
【請求項８】
フレームの移動用面上でメダルをメダル放出部に移動させるメダル移動部と、前記メダル放出部から放出されるメダルの直径を検出する検出部とを備え、
前記メダル放出部は、前記メダルを放出する方向に延在する放出ガイド面を有する放出ガイドと、前記放出ガイド面に対向して配置され前記放出ガイド面に離間接近することでメダルの直径を計測する放出ローラとを含んで構成され、
前記放出ガイドには、前記フレームに対する取付時の傾きを規制するガイド側平面が形成され、
前記フレームには、前記放出ガイド取付時の傾きを規制するフレーム側平面が形成され、
前記放出ガイドは、前記ガイド側平面に前記フレーム側平面が係合されて位置決めされる、
ことを特徴とする計数ホッパ。
【発明の詳細な説明】
【技術分野】
【０００１】
本発明は、遊技媒体の計数を行なう計数ホッパに関する。
【背景技術】
【０００２】
遊技店には、スロットマシンのような遊技機が複数並べて配置されている。
そして、各遊技機に隣接してメダル（遊技媒体）の払い出しを行なう遊技媒体貸出機が併設されている。
遊技媒体貸出機は、遊技者が貨幣を貨幣投入口に投入することで、あるいは、所定のカード媒体をカード挿入口に挿入することで、メダルの払い出しを行なう。
また、メダルの計数機能を備える遊技媒体貸出機には、計数ホッパと、計数ホッパにメダルを導く計数遊技媒体受け皿とが設けられている。
特許文献１には、このような計数ホッパとして、メダルを回転させつつメダル放出部に移動させるメダル移動部と、放出部から放出されるメダルの直径を検出する検出部とを備えるものが開示されている。
【０００３】
メダル放出部は、メダルを放出する方向に延在する放出ガイド面を有する放出ガイドと、放出ガイド面に対向して配置され放出ガイド面に離間接近することでメダルを放出する放出ローラとを含んで構成されている。
放出ガイドは、放出ガイドに設けられた係止孔に、断面が円形の係止ピンが係合されて位置決めされる。
【０００４】
検出部は、放出部から放出されるメダルの直径を検出するものであり、検知センサを含んで構成され、検知センサは、メダルの直径が正規の寸法範囲であるか否かを検出するための検出信号を出力するものである。
検知センサは、検知光の遮蔽の有無に応じて検知信号を出力する光センサで構成され、検知光が放出ローラの移動によって揺動される検知片で遮蔽された状態でオンとなり、検知光が検知片で遮蔽されない状態でオフとなる検知信号を生成する。
メダルが放出ローラにより放出される毎に、放出ローラは初期位置から最も変位した最大変位量まで移動したのち、初期位置まで戻る動作を繰り返す。この最大変位量は、メダルの直径に比例した値となる。
検知片は、例えば放出ローラの初期位置で検知光を遮蔽しており、放出ローラの変位量が最大変位量近くの一定変位量以上になるとアームの揺動により検知光の遮蔽を解除し、放出ローラの変位量が最大変位量近くの一定変位量を下回るとアームの揺動により再び検知光を遮蔽するように設けられている。
【０００５】
したがって、メダルが放出ローラにより放出される毎に、検知センサの検知信号はオン、オフを繰り返し、検知信号がオフしているオフ時間は、メダルの直径に即した値となる。
ここで、正規のメダルにより検知信号がオフしているオフ時間にばらつきを考慮した時間を加えた値を基準時間範囲とする。
この場合、正規のメダルよりも直径が小さい不正なメダルがメダル放出部により放出される際のオフ時間は、上記の基準時間範囲を下回る。
また、正規のメダルよりも直径が大きい不正なメダルがメダル放出部により放出される際のオフ時間は、上記の基準時間範囲を上回る。
【０００６】
したがって、検知信号のオフ時間を基準時間範囲と比較することでメダルの不正の有無が判定され、不正メダルが使用されていると判定した場合は、近接センサによるメダルの計数信号に基づく計数動作が停止され、不正なメダルの計数を防止するように図られている。
【先行技術文献】
【特許文献】
【０００７】
【特許文献１】特開２０１６−１９５６１号公報
【発明の概要】
【発明が解決しようとする課題】
【０００８】
しかしながら、上記従来技術では、係止孔および係止ピンの断面が円形であるため、放出ガイド面がメダルからの反力を多数回受けると、メダルからの反力を受ける毎に係止孔あるいは係止ピンを中心として放出ガイドが僅かに揺動し、放出ガイドのずれが生じやすかった。また、組み立て時において、メダル直径に応じた微調整を行う必要が生じていた。
放出ガイドがずれて、放出ローラと放出ガイド面との距離が変化すると、検知センサのオフ時間に誤差が発生し、不正メダルの判定を正しく行なうことができず、正規のメダルを不正メダルと誤判定し、あるいは、不正メダルを正規メダルと誤判定するおそれがある。
本発明は、上記事情に鑑みなされたものであり、本発明の目的は、組み立て時の調整を不要にすると共に、不正メダルの判定を長期にわたって正しく行なわせる上で有利な計数ホッパを提供することにある。
【課題を解決するための手段】
【０００９】
上記目的を達成するために、請求項１記載の発明は、フレームの移動用面上でメダルをメダル放出部に移動させるメダル移動部と、前記メダル放出部から放出されるメダルの直径を検出する検出部とを備え、前記メダル放出部は、前記メダルを放出する方向に延在する放出ガイド面を有する放出ガイドと、前記放出ガイド面に対向して配置され前記放出ガイド面に離間接近することでメダルの直径を検出する放出ローラとを含んで構成され、前記放出ガイドは、前記放出ガイドに設けられた係止孔または係止ピンに、前記フレームに設けられた係止ピンまたは係止孔が係合されて位置決めされる、計数ホッパであって、前記係止孔の内周面の少なくとも１箇所は孔側平面で形成され、前記係止ピンの外周面の少なくとも１箇所は前記孔側平面に係合可能なピン側平面で形成されていることを特徴とする。
請求項２記載の発明は、前記係止孔および前記係止ピンの断面形状は多角形を呈していることを特徴とする。
請求項３記載の発明は、前記多角形は四角形であることを特徴とする。
請求項４記載の発明は、前記放出ローラは、前記放出ローラの外周面と前記放出ガイド面との距離が前記メダルの直径よりも小さい初期位置に位置するように常時付勢されると共に前記放出ガイド面から離れる方向に変位可能に配置されていることを特徴とする。
請求項５記載の発明は、前記メダル移動部は、前記移動用面上で回転駆動され前記メダルを落下させるメダル落下用孔が貫設された回転板と、前記移動用面に対向する前記回転板の裏面に設けられ前記移動用面に落下されたメダルを前記回転板の回転に伴って前記回転板の半径方向外方に移動させるメダル移動用ガイドと、前記メダル移動用ガイドと協働してメダルを前記メダル放出部に導くメダルガイド面とを含んで構成され、前記メダルガイド面は前記放出ガイドに形成されていることを特徴とする。
請求項６記載の発明は、前記メダル移動部は、前記初期位置に位置する放出ローラの外周面と、この外周面に対向する前記放出ガイド面とを結んだ想像線よりも前記メダルの直径部分を前記回転板から離れる方向に移動させることを特徴とする。
請求項７記載の発明は、前記計数ホッパは、外径の異なる第１、第２の２種類のメダルの計数を可能に設けられ、前記放出ガイド面は、前記第１のメダルに対応した第１の放出ガイド面と、前記第２のメダルに対応した第２の放出ガイド面とを含んで構成され、前記メダルガイド面は、前記第１のメダルに対応した第１のメダルガイド面と、前記第２のメダルに対応した第２のメダルガイド面とを含んで構成され、前記フレームに設けられた係止ピンまたは係止孔は単一で、前記放出ガイドに設けられた係止孔または係止ピンは、前記第１、第２のメダルに対応して２つ設けられていることを特徴とする。
請求項８記載の発明は、フレームの移動用面上でメダルをメダル放出部に移動させるメダル移動部と、前記メダル放出部から放出されるメダルの直径を検出する検出部とを備え、前記メダル放出部は、前記メダルを放出する方向に延在する放出ガイド面を有する放出ガイドと、前記放出ガイド面に対向して配置され前記放出ガイド面に離間接近することでメダルの直径を計測する放出ローラとを含んで構成され、前記放出ガイドには、前記フレームに対する取付時の傾きを規制するガイド側平面が形成され、前記フレームには、前記放出ガイド取付時の傾きを規制するフレーム側平面が形成され、前記放出ガイドは、前記ガイド側平面に前記フレーム側平面が係合されて位置決めされることを特徴とする。
【発明の効果】
【００１０】
請求項１記載の発明によれば、係止孔の内周面の少なくとも１箇所は孔側平面で形成され、係止ピンの外周面の少なくとも１箇所は孔側平面に係合可能なピン側平面で形成されている。
したがって、メダル放出部によりメダルが放出される際、メダルからの反力を多数回受けても、係止孔と係止ピンとは平面を介して係合しているため、組み立てが容易になると共に、放出ガイドにずれが生じ難く、不正メダルの判定を長期にわたって正しく行なわせる上で有利となる。
請求項２〜６記載の発明によれば、放出ガイドをずれにくくする上でさらに有利となり、不正メダルの判定を長期にわたって正しく行なわせる上でより有利となる。
請求項７記載の発明によれば、外径の異なる第１、第２の２種類のメダルに対応して不正メダルの判定を長期にわたって正しく行なわせる上で有利となる。
請求項８記載の発明によれば、放出ガイドに設けられたガイド側平面と、フレームに設けられたフレーム側平面とが係合して位置決めされる。そのため、放出ガイドにずれが生じ難く、組み立てが容易になると共に、不正メダルの判定を長期にわたって正しく行なわせる上で有利となる。
【図面の簡単な説明】
【００１１】
【図１】（Ａ）は実施の形態に係る計数ホッパが適用された遊技媒体貸出機の正面図、（Ｂ）は（Ａ）の側面図である。
【図２】遊技媒体貸出機の受け皿用蓋が閉じた状態を示す斜視図である。
【図３】図２の側面図である。
【図４】遊技媒体貸出機の受け皿用蓋が開いた状態を示す斜視図である。
【図５】受け皿用蓋が計数遊技媒体受け皿から取り外された状態を示す斜視図である。
【図６】下部正面板を背面側から見た斜視図である。
【図７】放出ガイドと計数ホッパの斜視図である。
【図８】受け皿を取り外した計数ホッパの斜視図である。
【図９】（Ａ）は第１のメダルに対応して放出ガイドが取り付けられた計数ホッパの平面図、（Ｂ）は第２のメダルに対応して放出ガイドが取り付けられた計数ホッパの平面図である。
【図１０】（Ａ）は放出ローラが初期位置に位置した状態の計数ホッパの平面図、（Ｂ）は放出ローラが初期位置に位置した状態で計数ホッパを下方から見た下面図、（Ｃ）は放出ローラが最大変位量変位した状態で計数ホッパを下方から見た下面図である。
【図１１】（Ａ）〜（Ｄ）は計数ホッパによるメダルの計数動作の説明図である。
【図１２】放出ガイドの平面図である。
【図１３】他の位置決め構造における放出ガイドの平面図である。
【図１４】他の位置決め構造を示す図であり、（Ａ）は第１のメダルに対応して放出ガイドが取り付けられた計数ホッパの平面図、（Ｂ）は第２のメダルに対応して放出ガイドが取り付けられた計数ホッパの平面図である。
【発明を実施するための形態】
【００１２】
以下、本発明の実施の形態について添付図面を参照して説明する。
図１（Ａ）、（Ｂ）に示すように、遊技媒体貸出機１０は、遊技媒体を用いて遊技を行なう遊技機、例えば、スロットマシン等に併設される装置である。本実施の形態では、遊技媒体としてメダルを用いる場合について説明する。
遊技媒体貸出機１０は、筐体１２と、筐体本体１４と、ビルバリユニット１６と、制御部１８と、払い出しホッパ２０と、本発明に係る計数ホッパ２１と、ノズルシュート２２と、ノズル２４と、計数遊技媒体受け皿２６と、受け皿用蓋２８とを含んで構成されている。
【００１３】
筐体本体１４は、縦長直方体形状を呈し、底板１４０２と、底板１４０２の両側から起立する一対の側板１４０４と、側板１４０４の上端を接続する天板１４０６とを含んで中空状に構成されている。
筐体本体１４の正面側の開口である正面開口部１４１０は複数の正面板で閉塞され、背面側の開口である背面開口部は複数の背面板で閉塞され、これにより筐体１２が構成される。
筐体１２の内部には、上から順番にビルバリユニット１６、制御部１８、払い出しホッパ２０、計数ホッパ２１が収納されている。
複数の正面板は、ビルバリユニット用正面板１６Ａ、制御部側正面板１８Ａ、開閉蓋３０、下部正面板３２を含んで構成されている。
【００１４】
ビルバリユニット１６は、遊技者が投入する貨幣を識別するものであり、正面開口部１４１０のうちビルバリユニット１６の正面側はビルバリユニット用正面板１６Ａで閉塞され、ビルバリユニット用正面板１６Ａには、貨幣を投入する貨幣投入口１６０２が設けられている。
制御部１８は、遊技媒体貸出機１０の各種制御を行なうものである。
制御部１８は、正面開口部１４１０のうち制御部１８の正面側は制御部１８と一体に形成された制御部側正面板１８Ａで閉塞され、制御部側正面板１８Ａには、カード挿入口１８０２、タッチパネル式モニタ１８０４が設けられている。
カード挿入口１８０２には、遊技者の情報が記録されたカードが挿入され、制御部１８によってカードの情報の読み取り、書き込みがなされる。
タッチパネル式モニタ１８０４には、払い出したメダル数、獲得したメダル数などの遊技者の遊技状況が制御部１８によって表示される。
【００１５】
制御部１８の下方には開口３４が設けられている。開口３４は、払い出しホッパ２０にメダルを補充する部分であり、制御部側正面板１８Ａの下方に位置する正面開口部１４１０の部分で構成され、開口３４は、開閉蓋３０で開閉される。開閉蓋３０は専用のキーをキー孔３０１０に差し込むことで開閉操作が許容される。
払い出しホッパ２０は、開口３４から投入されたメダルを収容すると共に、制御部１８から指定された枚数のメダルをノズルシュート２２に払い出すものである。
正面開口部１４１０の下部には下部正面板３２が着脱可能に取着されており、開閉蓋３０で閉塞される正面開口部１４１０の部分の下方から正面開口部１４１０の下端までが下部正面板３２で閉塞される。
計数ホッパ２１は、計数遊技媒体受け皿２６に投入されたメダルの枚数を計数するものであり、メダルの計数結果は制御部１８に伝達される。
【００１６】
ノズルシュート２２は、払い出しホッパ２０から払い出されたメダルを受け入れてノズル２４に導く部分であり、ノズルシュート２２は、下部正面板３２に一体に形成されている。
ノズル２４は、ノズルシュート２２から導かれたメダルを遊技機の下皿（不図示）に導くものであり、ノズルシュート２２に揺動可能に結合されたノズル本体２４０２と、ノズル本体２４０２の先端に設けられたノズルトップ２４０４とを含んで構成される。
【００１７】
下部正面板３２は、筐体１２の内部と反対に位置する正面３２０２を有し、この正面３２０２は筐体１２の正面を構成している。
図２〜図５に示すように、計数遊技媒体受け皿２６は、下部正面板３２の正面３２０２でノズルシュート２２の上に設けられている。
【００１８】
図５、図６に示すように、下部正面板３２の背面３２０４に、計数遊技媒体受け皿２６に投入されたメダルを計数ホッパ２１に導く計数メダル通路３６が設けられている。計数遊技媒体受け皿２６と計数メダル通路３６は、下部正面板３２に形成された開口３８を介して連通している。
本実施の形態では、図６に示すように、計数メダル通路３６は、下部正面板３２の背面に取着され開口３８の上部と両側を覆い開口３８の下方が開放されたカバー４０で構成されている。
また、下部正面板３２の背面３２０４で計数メダル通路３６の上方の箇所には、ノズルシュート２２に連通し払い出しホッパ２０から払い出されたメダルをノズルシュート２２に導く払い出しメダル通路４２が設けられている。
【００１９】
図７に示すように、計数メダル通路３６の下方に受け皿４４が設けられ、計数ホッパ２１は、受け皿４４の下部に設けられている。
図８、図９に示すように、計数ホッパ２１は、フレーム４６と、メダル移動部４８と、メダル放出部５０と、検出部５２とを含んで構成されている。
メダル移動部４８は、受け皿４４に投入されたメダルＭをフレーム４６の上部をなす上板５４の移動用面５４０２上で回転させつつメダル放出部５０に移動させるものである。
メダル放出部５０は、メダル移動部４８で移動されたメダルＭをメダル回収部（不図示）に放出するものである。本実施の形態では、図８に示すように、上板５４と、上板５４の端部に設けられたカバー５６との間の排出口５８からメダルＭが放出される。
検出部５２は、メダル放出部５０から放出されるメダルＭの直径を検出するものである。
なお、図８において、符号５１は、受け皿４４を計数ホッパ２１のフレーム４６に組み付ける際に受け皿４４の位置決めを行なう位置決め用突起を示す。
【００２０】
図８、図９、図１１に示すように、メダル移動部４８は、回転板６０と、メダル移動用ガイド６２と、メダルガイド面６４とを含んで構成されている。
回転板６０は、上板５４に立設された回転軸６００２と一体に回転するように設けられ、回転軸６００２は、フレーム４６に配置されたモータ６１により回転駆動される。
回転板６０には、受け皿４４に投入されたメダルＭを１枚ずつ落下させるメダル落下用孔６００４が周方向に間隔をおいて３つ貫設されている。メダル落下用孔６００４は、外径の異なる複数種類のメダルＭが落下できる内径で形成されている。
【００２１】
図１１（Ａ）〜（Ｄ）に示すように、メダル移動用ガイド６２は、移動用面５４０２に落下されたメダルＭを回転板６０の回転に伴ってメダルＭに作用する遠心力を利用して回転板６０の半径方向外方に移動させるものであり、メダル移動用ガイド６２は、移動用面５４０２に対向する回転板６０の裏面にメダル落下用孔６００４に対応させて３つ設けられている。
メダルガイド面６４は、メダル移動用ガイド６２と協働してメダルＭをメダル放出部５０に導くものである。メダルガイド面６４は、後述する放出ガイド６６に設けられている。
メダル移動部４８は、後述する初期位置に位置する放出ローラ７０の外周面と、この外周面に対向する放出ガイド面６８とを結んだ想像線ＸよりもメダルＭの直径部分を回転板６０から離れる方向に移動させる。
なお、フレーム４６には、メダルＭが回転板６０の半径方向外方に移動しない場合にメダルＭを強制的にメダル放出部５０に導く払い出しピン７２が立設され、この払い出しピン７２に対応させてメダル移動用ガイド６２には払い出しピン７２を通過させる通過溝６２０２が形成されている。
【００２２】
図１１（Ａ）〜（Ｄ）に示すように、メダル放出部５０は、移動用面５４０２と連続する上板５４の上面上でメダルＭを放出する。
メダル放出部５０は、放出ガイド面６８と、放出ローラ７０とを含んで構成されている。
放出ガイド面６８は、上板５４の上面上でメダルＭを放出する方向に延在している。
放出ガイド面６８は、放出ガイド６６に設けられている。
放出ローラ７０は、放出ガイド面６８に対向して配置され放出ガイド面６８に離間接近することでメダルＭを放出する。
【００２３】
より詳細に説明すると、図１０（Ｂ）、（Ｃ）に示すように、上板５４の裏面５４０４に支軸７４を支点に揺動可能にＬ字状のアーム７６が設けられている。
アーム７６は、支軸７４の箇所から互いに異なる方向に突出する第１アーム部７６Ａと第２アーム部７６Ｂとを有している。
第１アーム部７６Ａの中間部に放出ローラ７０の支軸７００２が設けられ、第１アーム部７６Ａの先端と上板５４の裏面５４０４の箇所との間にコイルスプリング７８が設けられている。
また、上板５４の裏面５４０４に第２アーム部７６Ｂに当接するストッパ８０が設けられている。
【００２４】
したがって、アーム７６は第２アーム部７６Ｂがストッパ８０に常時当接するようにコイルスプリング７８により付勢され、アーム７６は、第２アーム部７６Ｂがストッパ８０に当接した当接位置に位置するように常時付勢されており、また、アーム７６は、第２アーム部７６Ｂがストッパ８０から離れる方向に揺動可能に配設されている。
図１０（Ｂ）に示すように、アーム７６の当接位置で放出ローラ７０は初期位置となり、したがって、放出ローラ７０は、初期位置に向かってコイルスプリング７８により常時付勢されている。
初期位置では、放出ローラ７０の外周面と放出ガイド面６８との距離がメダルＭの直径よりも小さくなるように設定されている。
また、第２アーム部７６Ｂがストッパ８０から離れる方向に揺動可能に配設されていることから、放出ローラ７０は、放出ガイド面６８から離れる方向に変位可能に配置されている。
なお、図中、符号８２は第２アーム部７６Ｂの先部に設けられた検知片を示している。
【００２５】
図１１（Ａ）に示すように、メダルＭは、メダル移動部４８により、初期位置に位置する放出ローラ７０の外周面と、この外周面に対向する放出ガイド面６８とを結んだ想像線ＸよりもメダルＭの直径部分を回転板６０から離れる方向に移動される。
図１１（Ｂ）、（Ｃ）に示すように、このときに放出ローラ７０は、放出ガイド面６８から離れる方向に変位し、メダルＭの直径部分が放出ローラ７０の外周面と放出ガイド面６８とを結んだ想像線Ｘよりも押し出されると、放出ローラ７０は、コイルスプリング７８により初期位置に復帰する方向に付勢されているため、図１１（Ｄ）に示すように、放出ローラ７０がメダルＭの外周面に沿って変位し、メダルＭを回転板６０から離れる方向に押し出して放出する。
【００２６】
図１０（Ｂ）、（Ｃ）に示すように、検出部５２は、メダル放出部５０から放出されるメダルＭの直径を検出するものであり、検知センサ８４を含んで構成され、検知センサ８４は、メダルＭの直径が正規の寸法範囲であるか否かを検出するための検出信号を出力する。
本実施の形態では、検知センサ８４は、検知光の遮蔽の有無に応じて検知信号を出力する光センサで構成されている。
検知センサ８４は、上板５４の裏面５４０４に取着され、例えば検知光が検知片８２で遮蔽された状態でオンとなり、検知光が検知片８２で遮蔽されない状態でオフとなる検知信号を生成し制御部１８に伝達する。
メダルＭが放出ローラ７０により放出される毎に、放出ローラ７０は図１０（Ｂ）に示す初期位置から、図１０（Ｃ）に示す初期位置から最も変位した最大変位量まで移動したのち、初期位置まで戻る動作を繰り返す。この最大変位量は、メダルＭの直径に比例した値となる。
検知片８２は、放出ローラ７０の初期位置で検知光を遮蔽しており、放出ローラ７０の変位量が最大変位量近くの一定の変位量以上になるとアーム７６の揺動により検知光の遮蔽を解除し、放出ローラ７０の変位量が最大変位量近くの一定変位量を下回るとアーム７６の揺動により再び検知光を遮蔽するように設けられている。
したがって、メダルＭが放出ローラ７０により放出される毎に、検知センサ８４の検知信号はオン、オフを繰り返し、検知信号がオフしているオフ時間は、メダルＭの直径に即した値となる。
【００２７】
ここで、正規のメダルＭにより検知信号がオフしているオフ時間にばらつきを考慮した時間を加えた値を基準時間範囲とする。
この場合、正規のメダルＭよりも直径が小さい不正なメダルＭがメダル放出部５０により放出される際のオフ時間は、上記の基準時間範囲を下回る。
また、正規のメダルＭよりも直径が大きい不正なメダルＭがメダル放出部５０により放出される際のオフ時間は、上記の基準時間範囲を上回る。
【００２８】
制御部１８は、検知信号のオフ時間を基準時間範囲と比較することでメダルの不正の有無を判定する。
制御部１８は、検知信号のオフ時間が基準時間範囲内であれば、正規のメダルが使用されていると判定する。また、検知信号のオフ時間が基準時間範囲を下回ると、正規のメダルよりも直径が小さい不正なメダルが使用されていると判定し、検知信号のオフ時間が基準時間範囲を上回ると、正規のメダルよりも直径が大きい不正なメダルが使用されていると判定する。
なお、フレーム４６に設けられた近接センサ８６（図９）が放出ローラ７０によって放出されたメダルＭの通過を１枚単位で検出することで計数信号を出力し、制御部１８に伝達する。制御部１８は計数信号に基いてメダルＭの計数を行なう。
制御部１８は、不正メダルＭが使用されていると判定した場合は、近接センサ８６によるメダルＭの計数信号に基づく計数動作を停止し、不正なメダルＭの計数を防止する。
【００２９】
本実施の形態では、放出ガイド面６８の位置を小径メダルＭと大径メダルＭとで選択的に切り替えることにより、正規の小径メダルＭが放出ローラ７０と放出ガイド面６８との間を通過する際に放出ローラ７０が変位する最大変位量と、正規の大径メダルＭが放出ローラ７０と放出ガイド面６８との間を通過する際に放出ローラ７０が変位する最大変位量とを同等にすることができる。
したがって、小径メダルＭおよび大径メダルＭに対応して放出ガイド面６８を設定することで、制御部１８によるメダルＭの不正の判定を小径メダルＭと大径メダルＭとで、同等な判断手法を用いることができる。
【００３０】
放出ローラ７０によりメダルＭを放出する際に、放出ガイド面６８は、メダルＭからの反力を受ける。
したがって、放出ローラ７０により多数のメダルＭが放出されることから、放出ガイド面６８はその都度、メダルＭからの反力を多数回受けることになり、放出ガイド６６がずれる可能性がある。
放出ガイド６６がずれ、初期位置にある放出ローラ７０の外周面と放出ガイド面６８との距離が変化すると、検知センサ８４のオフ時間に誤差が発生し、不正メダルの判定を正しく行なうことができず、正規メダルを不正メダルと誤判定し、あるいは、不正メダルを正規メダルと誤判定するおそれがある。
【００３１】
放出ガイド６６は、図１２に示すように、放出ガイド６６に設けられた２つの係止孔８８Ａ、８８Ｂのうちの一方の係止孔に、図９（Ａ）、（Ｂ）に示すように、フレーム４６の係止ピン９０が係合されて位置決めされ、このように位置決めされた状態でねじ２を介して上板５４に取着されている。なお、係止孔８８Ａ、８８Ｂが２つ設けられているのに対して係止ピン９０は単一とすることができる。
図８、図９に示すように、係止孔８８Ａ、８８Ｂの内周面の少なくとも１箇所は孔側平面８８０２で形成され、係止ピン９０の外周面の少なくとも１箇所は孔側平面８８０２に係合可能なピン側平面９００２で形成されている。
係止孔８８Ａ、８８Ｂおよび係止ピン９０の断面形状は、その外周面が複数の平面で形成された多角形が好ましい。
本実施の形態では、係止孔８８Ａ、８８Ｂおよび係止ピン９０の断面形状は、多角形は正四角形である。
なお、本実施の形態では、図９（Ａ）、（Ｂ）に示すように、係止孔８８Ａ、８８Ｂのうち係止ピン９０が係合していない残りの係止孔は、位置決め用突起５１が挿入される逃げ孔として機能している。
【００３２】
本実施の形態の計数ホッパ２１は、外径の異なる第１、第２の２種類のメダルの計数を可能に設けられている。
図１２に示すように、放出ガイド６６には、第１、第２のメダルに対応して放出ガイド面６８とメダルガイド面６４とが２つずつ設けられている。
本実施の形態では、一方の放出ガイド面６８Ａと、一方のメダルガイド面６４Ａとが直径の小さい第１のメダル用であり、他方の放出ガイド面６８Ｂと、他方のメダルガイド面６４Ｂとが直径の大きい第２のメダル用である。
図９（Ａ）、（Ｂ）に示すように、一方の放出ガイド面６８Ａおよび一方のメダルガイド面６４Ａと、他方の放出ガイド面６８Ｂおよび他方のメダルガイド面６４Ｂとは、ねじ２を中心に放出ガイド６６を１８０度旋回させ、フレーム４６に取着することで共に使用可能となる。
【００３３】
すなわち、本実施の形態では、直径２５ｍｍのメダルＭを計数する場合には、図９（Ａ）に示すように、一方の放出ガイド面６８Ａを放出ローラ７０に対向させ、かつ、一方のメダルガイド面６４Ａをメダル移動用ガイド６２に向けた状態となるように放出ガイド６６を位置させ、係止孔８８Ａに係止ピン９０を挿入して、ねじ２によりフレーム４６に取り付ける。
また、直径３０ｍｍのメダルＭを計数する場合には、図９（Ｂ）に示すように、他方の放出ガイド面６８Ｂを放出ローラ７０に対向させ、かつ、他方のメダルガイド面６４Ｂをメダル移動用ガイド６２に向けた状態となるように放出ガイド６６を位置させ、係止孔８８Ｂに係止ピン９０を挿入して、ねじ２によりフレーム４６に取り付ける。
なお、図９（Ａ）、（Ｂ）において、符号９２は、放出ガイド６６に並べて設けられ、メダルＭをメダル放出部５０に導く補助ガイドを示している。
【００３４】
このような本実施の形態の放出ガイド６６の取付構造によれば、メダル放出部５０によりメダルＭが放出される際、メダルＭからの反力を多数回受けても、係止孔８８Ａ、８８Ｂと係止ピン９０とは平面を介して係合しているため、放出ガイド６６はずれにくい。
したがって、制御部１８による不正メダルの判定を長期にわたって正しく行なわせる上で有利となる。
なお、本実施の形態では、係止ピン９０および係止孔８８Ａ、８８Ｂの断面形状は、正四角形である場合について説明したが、三角形や五角形などの多角形であってもよい。
また、係止孔８８Ａ、８８Ｂおよび係止ピン９０は、位置決めを行なえ、ずれを防止できるのであれば、それらの少なくとも１箇所が平面を含んで形成されていればよく、したがって、係止孔８８Ａ、８８Ｂおよび係止ピン９０の断面形状は、例えば、１つの平面と円弧とからなる半円形などであってもよい。
【００３５】
すなわち、断面が円形の係止孔および係止ピンである場合には、メダルＭからの反力を多数回受けると、メダルＭからの反力を受ける毎に係止孔あるいは係止ピンを中心として放出ガイド６６が僅かに揺動し、ガタツキが生じやすい。その結果、不正メダルの判定を長期にわたって正しく行なわせる上で不利となる。
これに対して本実施の形態では、係止孔８８Ａ、８８Ｂと係止ピン９０とは平面を介して係合しているため、メダルＭからの反力を平面により確実に受け止めるため、放出ガイド６６は揺動しにくく、ずれにくくなっており、制御部１８による不正メダルの判定を長期にわたって正しく行なわせる上で有利となる。
【００３６】
なお、本実施の形態では、計数ホッパ２１は、外径の異なる２種類のメダルを計数する場合について説明したが、本発明は、単一種類のメダルを計数する場合にも無論適用可能である。
また、放出ガイド６６に係止ピンを突設し、フレーム４６に係止孔を設けてもよいことは無論のことであり、この場合、外径の異なる第１、第２の２種類のメダルの計数を可能にするには、係止ピンを単一とし、係止孔を２つ設ければよい。上記の説明では、計数ホッパ２１に対する放出ガイド６６の位置決め構造について説明したが、払い出しホッパ２０、その他のホッパに対しても放出ガイド６６の位置決め構造を適用することができる。
【００３７】
上記の実施形態では、係止孔８８Ａ、８８Ｂの内周面の少なくとも１箇所に孔側平面８８０２を形成し、係止ピン９０の外周面の少なくとも１箇所に孔側平面８８０２に対して係合可能なピン側平面９００２を形成した実施形態について説明したが、本発明において位置決め用の平面は、孔の内周面とピンの外周面とに限定されず、孔の内周面とピンの外周面以外の適宜箇所に形成してもよいことは無論のことである。
【００３８】
以下に、図１３及び図１４（Ａ）、（Ｂ）を参照して、位置決め用の平面を孔の内周面とピンの外周面以外の適宜箇所に形成した他の放出ガイド６６の位置決め構造について説明する。
図１３に示すように、この位置決め構造では、例えば、放出ガイド６６の少なくとも側部の１箇所に、フレーム４６に対する取付時の傾きを規制するガイド側平面９４を形成する。すなわち、前記の実施の形態では、係止孔８８Ａ、８８Ｂの内周面に孔側平面８８０２を形成していたのに対して、この位置決め構造では、例えば、放出ガイド６６の輪郭をなす外周部にガイド側平面９４を形成している。
本実施の形態では、ねじ２の挿通孔２Ａの両側の２箇所の側部に、ガイド側平面９４Ａ、９４Ｂを形成している。
また、図１４（Ａ）、（Ｂ）に示すように、フレーム４６にも、放出ガイド６６のガイド側平面９４Ａ、９４Ｂと対向する位置に、フレーム側平面９６Ａ、９６Ｂを形成する。
そして、放出ガイド６６に設けられたガイド側平面９４Ａ、９４Ｂに、フレーム４６に設けられたフレーム側平面９６Ａ、９６Ｂを係合させて位置決めすることにより、フレーム４６に対する放出ガイド６６の位置決め精度を向上させることができ、このような構成によっても前記実施の形態と同様な効果が操作される。
このようなガイド側平面９４Ａ、９４Ｂとフレーム側平面９６Ａ、９６Ｂとを係合する位置決め構造は、前述の係止孔８８Ａ、８８Ｂ及び係止ピン９０を用いた位置決め構造と併用することもできるし、要求される位置決め精度に応じて、ガイド側平面９４Ａ、９４Ｂとフレーム側平面９６Ａ、９６Ｂとを係合する位置決め構造のみを用いることもできる。
【符号の説明】
【００３９】
２１  計数ホッパ
４６  フレーム
４８  メダル移動部
５０  メダル放出部
５２  検出部
６０  回転板
６００４  メダル落下用孔
６２  メダル移動用ガイド
６４  メダルガイド面
６６  放出ガイド
６８  放出ガイド面
７０  放出ローラ
８８Ａ、８８Ｂ  係止孔
８８０２  孔側平面
９０  係止ピン
９００２  ピン側平面
９６Ａ、９６Ｂ  フレーム側平面
９４Ａ、９４Ｂ  ガイド側平面
【図１】
2018018243.tif 000003
【図２】
2018018243.tif 000004
【図３】
2018018243.tif 000005
【図４】
2018018243.tif 000006
【図５】
2018018243.tif 000007
【図６】
2018018243.tif 000008
【図７】
2018018243.tif 000009
【図８】
2018018243.tif 000010
【図９】
2018018243.tif 000011
【図１０】
2018018243.tif 000012
【図１１】
2018018243.tif 000013
【図１２】
2018018243.tif 000014
【図１３】
2018018243.tif 000015
【図１４】
2018018243.tif 000016